(57)【要約】      （修正有）【課題】熱交換装置に対する従来の断熱配管では、電気配線を収容する空間がないため、新しい断熱配管を提供する。【解決手段】熱交換装置に対する断熱配管に係り、断熱配管は、第１の冷媒管を収容する第１の導管と第２の冷媒管を収容する第２の導管とを同時に有する内側断熱層、内側断熱層を取り囲む外側断熱層、及び、外側断熱層を取り囲む防水層、並びに電気配線を有する。【選択図】図２Ａ
0003139497.tif 000002
【実用新案登録請求の範囲】
【請求項１】
熱交換装置に対する断熱配管であって、
第１の冷媒管を収容する第１の導管と、第２の冷媒管を収容する第２の導管とを同時に有する、内側断熱層と、
該内側断熱層を取り囲む外側断熱層と、
該外側断熱層を取り囲む防水層と、
を有する、
断熱配管。
【請求項２】
少なくとも電気配線を更に有し、
該電気配線は、前記内側断熱層において配置され、第１の冷媒管及び第２の冷媒管から距離を置かれるか、前記外側断熱層において配置されるか、あるいは前記内側断熱層と前記外側断熱層との間に配置される、
請求項１記載の断熱配管。
【請求項３】
前記第１の冷媒管は、液体冷媒をもたらすよう適合され、前記第２の冷媒管は、蒸気状態における冷媒をもたらすよう適合される、
請求項１記載の断熱配管。
【請求項４】
熱交換装置であって、
室外ユニット及び室内ユニットと、
前記室外ユニット及び前記室内ユニットを電気的に接続する、電気配線と、
前記室外ユニット及び前記室内ユニットと連通される、液体冷媒をもたらすよう適合される第１の冷媒管、及び、蒸気状態における冷媒をもたらすよう適合される第２の冷媒管と、
前記第１の冷媒管を収容する第１の導管と、前記第２の冷媒管を収容する第２の導管とを同時に有する、低密度ＰＥフォームを有して作られる内側断熱層と、
前記内側断熱層を取り囲む高密度ＰＥフォームを有して作られる外側断熱層と、
前記外側断熱層を取り囲む防水層と、
を有する、
熱交換装置。
【請求項５】
少なくとも電気配線を更に有し、
該電気配線は、前記内側断熱層において配置され、第１の冷媒管及び第２の冷媒管から距離を置かれるか、前記外側断熱層において配置されるか、あるいは前記内側断熱層と前記外側断熱層との間に配置される、
請求項４記載の熱交換装置。
【考案の詳細な説明】
【技術分野】
【０００１】
本考案は、断熱配管の分野に係り、より特には熱交換装置に対する断熱配管の分野に係る。
【背景技術】
【０００２】
熱交換装置には一般的に、エアコン（エアーコンディショナ）及び冷却設備が含有される。特には、従来の分離型エアコンは、作動中にコンプレッサから生成される騒音を低減するよう建物の壁の対向する側部に配置される、室外ユニット及び室内ユニットを有する。室内ユニットと室外ユニットとの間の機構機能の相互接続は、冷媒循環に対して夫々２つの冷媒管を収容する２つの独立配管を伴う。更には、電気配線は、作動に対して室内ユニットから室外ユニットまで制御信号を伝えるよう適合される。
【０００３】
しかしながら、電気配線は、当然のことながら外側に露出されるため外観及び見映えが悪い。これは、従来の設計が冷媒管を夫々収容する２配管構造を用い、電気配線を収容する余分な空間がないためである。その結果、電気配線は、建物の壁の適切な場所で他のドリルあけされた穴を介して所定の間隔において更に配置されるべきである。
【考案の開示】
【考案が解決しようとする課題】
【０００４】
したがって、新しい断熱配管を作る必要がある。
【課題を解決するための手段】
【０００５】
本考案の典型的な一実施例は、熱交換装置に対する断熱配管を与えることによって、上述された問題を克服する。断熱配管は、第１の冷媒管を収容する第１の導管と第２の冷媒管を収容する第２の導管とを同時に有する内側断熱層；該内側断熱層を取り囲む外側断熱層；及び、該外側断熱層を取り囲む防水層、を有する。
【０００６】
本考案の他の典型的な実施例は、熱交換装置を与えることによって上述された問題を克服する。熱交換装置は、室外ユニット及び室内ユニットと、室外ユニット及び室内ユニットを電気的に接続する電気配線；室外ユニット及び室内ユニットと連通される、液体冷媒をもたらすよう適合される第１の冷媒管、及び蒸気状態における冷媒をもたらすよう適合される第２の冷媒管；第１の冷媒管を収容する第１の導管と、第２の冷媒管を収容する第２の導管とを同時に有する、低密度ＰＥフォームを有して作られる内側断熱層；内側断熱層を取り囲む、高密度ＰＥフォームを有して作られる外側断熱層；及び、外側断熱層を取り囲む防水層、を有する。
【考案を実施するための最良の形態】
【０００７】
本考案は、添付の図面において示される、制限的ではなく典型的な実施例によって説明される。図中、同様の参照符号は、同様の要素を示す。
【０００８】
図１Ａ及び１Ｂを参照すると、分離型等であるエアコンの一実施例が図示されている。エアコンは、室内３において設置される室内ユニット１００、及び地面又はバルコニー等である外部環境４に置かれる室外ユニット２００を有する。
【０００９】
室内ユニット１００は、電気制御器１２０及び蒸発器１１０（図１Ｂ）、並びに蒸発器１１０にわたって冷却空気を通すモータ駆動ファン（図示せず）を有し得る。室外ユニット２００は、コンプレッサ２１０、コンデンサ２２０、及びコンデンサ２２０内における冷媒を冷却するモータ駆動ファン（図示せず）を備えられる。室内ユニット１００と室外ユニット２００との間における機構機能の相互接続は、冷媒循環に対する第１の冷媒管２１及び第２の冷媒管２３、並びに制御又は電源ライン等である電気配線２５を同時に有する単一の配管２０を伴う。遠隔制御８は、ユーザの利便性に対して取り付けられ得る一方、電気制御器１２０に対して電気的に接続される。
【００１０】
典型的な一実施例において、室内ユニット１００における蒸発器１１０は、熱交換に対して低温冷媒液体を運ぶ管の周囲に空気を流れさせることによって、冷気を放出し、室外ユニットにおけるコンプレッサ２１０は、低圧から高圧ガスにおいて（ａｔ  ａ  ｌｏｗ  ｐｒｅｓｓｕｒｅ  ｔｏ  ａ  ｈｉｇｈ  ｐｒｅｓｓｕｒｅ  ｇａｓ）冷媒ガスを圧縮する。コンデンサ２２０は、室外に対する熱交換によって、高温／高圧ガスを高温及び高圧液体へと凝縮するよう適合される。膨張弁２３０は、高温及び高圧液体を室内に対する熱交換に対して再度蒸発器１１０に送られる低温及び低圧液体へと変換する。
【００１１】
言い換えれば、エアコンは、２つの冷媒管２１及び２３、並びに制御ライン２５を有する。冷媒管２１は、液体冷媒を室外ユニット２００において配置されるコンデンサ２２０から室内ユニット１００において配置される蒸発器１１０までもたらすよう適合される。他の冷媒管２３は、蒸気状態にある冷媒を蒸発器１１０からコンデンサ２２０までもたらすよう適合される。制御ライン２５は、蒸発器１１０とコンデンサ２２０との間において移動される冷媒の圧力を上昇させるよう、コンプレッサ２１０を制御し得、また、蒸発器１１０とコンデンサ２２０との間において移動される冷媒の圧力を減少させるよう膨張弁２３０を制御し得る。故に、冷媒液体を運ぶ冷媒管２１及び冷媒ガスを運ぶ冷媒管２３は、低圧管としての役割をなす一方、膨張弁２３０は、室外ユニット２００において配置される。しかしながら、冷媒管２１は高圧管として、冷媒管２３は低圧管として働き得る一方、膨張面２３０は、室内ユニット１００において配置される。一般的に、高圧管の直径は、低圧管の直径より小さい。
【００１２】
上述された通り、従来の設計が冷媒管を夫々収容する２つの配管構造を取り入れることは、便利ではない。その理由は、電気配線が必然的に空気に露出される、ことであり、おそらく該配線は、建物の壁の適切な場所で他のドリルあけされた穴を介して所定の間隔において更に配置されるべきである。
【００１３】
したがって、図２Ａを参照すると、室内ユニットと室外ユニット１００／２００との間における断熱配管２０の典型的な実施例が図示されている。熱交換装置に対する断熱配管２０は、第１の冷媒管２１を収容する第１の導管２１ａと、第２の冷媒管２３を収容する第２の導管２３ａとを同時に有する内側断熱層２６を有する。更には、外側断熱層２４は、内側断熱層２６を取り囲む。弾塑性材料有して作られる層等である防水層２２は、空気中の水分が内側断熱層２６へと入り込むことを防ぐように外側断熱層２４を取り囲むよう、用いられる。一例では、電源ライン等である電気配線２５、制御ライン、又はそれらの組合せは更に、内側断熱層２６へと組み込まれ得、第１及び第２の冷媒管２１及び２３から距離を置かれ得る。この実施例では、冷媒管２１，２３及び電気配線２５を同時に収容する単一の配管構造に対して単一の穴を壁にドリルあけすることは、コスト節減であり且つ便利である。
【００１４】
図２Ｂを参照すると、断熱配管２０の典型的な実施例が更に図示される。この実施例において電気配線２５は、外側断熱層２４内において、あるいは、外側断熱層２４と内側断熱層２６との間において、配置され得る。
【００１５】
一例では、内側断熱層２６は低密度ＰＥフォームを有して作られ、外側断熱層２４は高密度ＰＥフォームを有して作られる。本考案の一実施例に従うフォームは、望ましくは、技術的に周知である押出し工程によって作られる。かかる工程において、電気配線２５は、フォーム材料に加えられ、その後外側断熱層２４又は内側断熱層２６によって覆われるか、あるいはそれらの間において配置される。冷媒管２１及び２３、並びに電気配線２５と一体にされた断熱配管２０は、単一のドリル穴を介して室内ユニット１００及び室外ユニット２００を接続するよう用いられ得る。更に、電気配線２５が空気に露出されることなく保護されるため、不具合率は低下し得る。
【００１６】
上述された実施例において、断熱配管２０は、冷媒循環を有する冷却設備又はエアコン等である、熱交換装置に対して適切である。
【図面の簡単な説明】
【００１７】
【図１Ａ】本考案の典型的な一実施例に従うエアコンの概略図である。
【図１Ｂ】本考案の典型的な一実施例に従うエアコンの概略図である。
【図２Ａ】本考案の典型的な一実施例に従う断熱配管の概略図である。
【図２Ｂ】本考案の他の典型的な実施例に従う断熱配管の概略図である。
【符号の説明】
【００１８】
２０  断熱配管
２１ａ  第１の導管
２２  防水層
２３ａ  第２の導管
２４  外側断熱層
２５  電気配線
２６  内側断熱層
【図１Ａ】
0003139497.tif 000003
【図１Ｂ】
0003139497.tif 000004
【図２Ａ】
0003139497.tif 000005
【図２Ｂ】
0003139497.tif 000006